(57)【要約】      （修正有）【課題】丸鋸板を回転させて雑草取りをおこなう刈取り機に取り付けて、狭い畝株間の雑草の根茎の根絶処理を可能とする草取りカッターを提供する。【解決手段】発動機付刈取機の回転刃部に取り付ける超硬丸鋸板１と、超硬丸板の両板に２か所切り込みをつくり、左回転で右方の片を熱処理加工により下方打ち出し片２をつくる。回転により鋸刃３で草刈して、その板片の土中への押し込み加減により、その下方の根茎を削り草取りをする。刃のない超硬丸板を使用する場合は、回りの作物を切断しないので、作物の畝間株間の合間の雑草処理が出来る。大中小の本具を製造加工して作物に適合した本具を選定し、この特徴を活かし活用するとにより草取り草削りの能率化が図れる。【選択図】図１
0003166899.tif 000002
【実用新案登録請求の範囲】
【請求項１】
草取りを超硬丸鋸板の円周に１個所か、均等２個所に、切り込みを入れ、板が左回転方向に向い、切り込み右部分を下方に片を突き出すことにより、回転する超硬丸鋸板の刃に当る雑草を刈りとる、下方に突き出した片で、地際の雑草根茎を削り取る。
超硬丸板については、同じ片型を造成し、超硬丸板は回りの作物を切断しない、大中小の板を作成し適用した畝間、株間の地上の雑草の根茎を削り処理する、刈取機に装着して、草取りをすることを特徴とする、プレス熱処理造成加工した両道具である。
【考案の詳細な説明】
【技術分野】
【０００１】  本発明は、草取りに関するもので、刈取機の発動能力に適用超硬丸鋸板に１か所、又は２か所切り込みをつくる、右部分を下方に打ち出し片をつくる、回転により鋸刃で草刈し、その板を押し込み、その下方の根茎を削り取る。
超硬丸板は刃のない、草刈りをしない、回りの作物を切断しない、超硬丸板に、右部分を下方に打ち出し片をつくる。
その本体を刈取機に取り付け回転威力により、作物の畝間株間の草取りに、押し込み加減により雑草の根茎を削り取ることが出来る。
【背景技術】
【０００２】  これまでにない本具である、従来の刈取機のカッタ−は、平版刃で又は紐で地上の草刈りだけであって、狭い畝株間の草取り地中の宿根性雑草の根絶やし草取り作業が全く出来なかった。
【考案が解決しょうとする課題】
【０００３】  畑作物の畝株間の雑草、雑草根茎、の根絶処理は、本体の切り込み打ち出し片の、土中への押し込み、深さ加減により、解決できる。
草取りは作業が細かい手作業であって、重労働であった、熱射病、蝮や百足の危害をこうむった、本具をセットしてこの作業に当ることにより危害を防げる、このことは各メ−カ−も研究費と試作費をかけたが解決しなかった、本具の考案は、強い要望にこたえるに試作したものである。
【課題を解決する手段】
【０００４】  どちらかを選ぶか、生い茂る雑草の処理は超硬丸鋸板で刈りと取り「図１」３刃で、刈りと取り下方の雑草の根茎、削り取りは［図１］の２で処理する。
畝間株間の雑草根絶処理は、適用した超硬丸板を取付け、回転威力により「図２」２で行う。
【考案の効果】
【０００５】  この道具の使用で蝮や百足の危害を避けることが出来る、山間の狭い農地、急傾斜地など、除草管理機械で作業の出来ない場所でも、雑草の根茎絶やしや、除草管理作業が出来るのである、軽量小型であるので本具を取り付けたまま移動できる。
【図面の簡単な説明】
【０００６】
【図１】超硬丸鋸板の斜視図
【図２】超硬丸板の斜視図
【符号の説明】
【０００７】１は超硬丸鋸板
２は切り込み下方へ打ち出し片
３は超硬丸鋸板の刃
４は本具と刈取機、軸の締め込み穴
５は超硬丸板
【図１】
0003166899.tif 000003
【図２】
0003166899.tif 000004
【手続補正書】
【提出日】平成22年12月28日(2010.12.28)
【手続補正１】
【補正対象書類名】実用新案登録請求の範囲
【補正対象項目名】全文
【補正方法】変更
【補正の内容】
【実用新案登録請求の範囲】
【請求項１】
超硬丸鋸板は刃と刃の間に切り込みを入れる、円周の反面均等位置に１個か所、合わせて２か所、円周の中心に向かい切り込を入れる、板の左回転方向、向かって右の片と、反面均等位置右の片、２か所を熱処理加工により下方に打ち出す、片の切り込む深さは、地中雑草根茎の削り取り、草取りができることを立てまいとする、刈り取り機に装着して、超硬丸鋸板は地上の雑草刈り取りと、地中の雑草の根茎を削り、草取りの兼用であることを特徴する超硬丸板草取りカッタ−である。
【請求項２】
畝間、株間の雑草取りは、鋸刃が無いもので、めぐりの作物を切断しない傷つけない刃のない超硬丸板が適している、円周の中心に向かい切り込み片１か所、反面均等位置に１個が所、合わせて２か所切り込む、板の左回転方向に向かって、右の片を１か所、反面均等位置に１か所、合わせて２か所を熱処理加工により下方打ち出す、片の深さは地中雑草根茎の削り取り、草取りが出来ることを立てまいとする、超硬丸板は大中小を造成し作物の植え付け条件によって選定する、本具を刈り取り機に装着して、草削り草取りをすることを特徴とする超硬丸板草取りカッタ−である。
【手続補正２】
【補正対象書類名】明細書
【補正対象項目名】全文
【補正方法】変更
【補正の内容】
【考案の詳細な説明】
【技術分野】
【０００１】  本発明は、草取り草削りに関するもので、刈取機の発動能力に適用、超硬丸鋸板と超硬丸板の両板に２か所切り込みをつくり、左回転で右方の片を熱処理加工により、下に打ち出し、片をつくる、回転により鋸刃で草刈して、その板片を押し込み加減により、その下方の根茎を削り草取りをする、刃のない超硬丸板は、回りの作物を切断しないので、作物の畝間株間の合間の雑草処理が出来る、大中小の本具を製造加工して作物に適合した本具を選定し、この特徴を活かし活用するとにより草取り草削りの能率化が図れるのである。
【背景技術】
【０００２】  これまでにない本具である、従来の刈取機のカッタ−は、平版刃で又は紐で地上の草刈りだけであって、狭い畝株間の草取り地中の宿根性雑草の根絶やし草取り作業が全く出来なかった。
【考案が解決しょうとする課題】
【０００３】  雑草の生い茂る圃場又は畑、畑作物の畝株間の雑草、雑草根茎の根絶処理は、本体の切り込み打ち出し片の、土中への押し込み、深さ加減により、解決できる。
草取りは作業が細かい手作業であって、重労働であった、熱射病、蝮や百足の危害をこうむった、本具をセットしてこの作業に当ることにより危害を防げる、このことは各メ−カ−も研究費と試作費をかけたが解決しなかった、本具の考案は、強い要望にこたえるに試作したものである。
【課題を解決する手段】
【０００４】  どちらかを選ぶか、生い茂る雑草の処理は超硬丸鋸板で刈りと取り「図１」２刃で、刈りと取り下方の雑草の草取り根茎、削り取りは［図１］の４で処理する。
畝間株間の雑草根絶処理は、適用した超硬丸板を取付け、回転威力により主に「図２」８で行う。
【考案の効果】
【０００５】  この道具の使用で蝮や百足の危害を避けることが出来る、山間の狭い農地、急傾斜地など、除草管理機械で作業の出来ない場所でも、雑草の削りとり、根茎絶やしの除草管理作業が出来るのである、刈り取り機、背負い式、片掛け式両機に適用する
軽量小型であるので本具を取り付けたまま移動できる。
この作業するに当り土塊や石粒の飛散物防止カバ−を身に付けて安全対策を立てまいとする。
【図面の簡単な説明】
【０００６】
【図１】超硬丸鋸板の斜視図
【図２】超硬丸板の斜視図
【符号の説明】
【０００７】  １は超硬丸鋸板
２は超硬丸鋸板の刃
３は左方切り出し片
４は熱処理加工による右下方打ち出し片
５は締め込み穴
６は超硬丸板
７は左方切り出し片
８は熱処理加工による右下方打ち出し片
【手続補正３】
【補正対象書類名】図面
【補正対象項目名】全図
【補正方法】変更
【補正の内容】
【図１】
0003166899.tif 000005
【図２】
0003166899.tif 000006